(57)【特許請求の範囲】
【請求項１】
スイッチハウジングの一端に収納穴を形成すると共に他端に前記収納穴に通ずる摺動穴を形成し、この摺動穴に圧力が作用するピストンを摺動可能に嵌合し、前記収納穴に圧入固定された電気絶縁体である保持リングを介して一方の電気接点をなすターミナルを固定し、前記ピストンと前記ターミナルとの間に設けられ前記ピストンの押圧により撓んで前記ターミナルと当接し他方の電気的接点をなすディスクスプリングを備えた圧力スイッチにおいて、前記スイッチハウジングの外周は、前記収納穴の前記保持リングが圧入される部分の外周であって円筒形状をした円筒部と、前記摺動穴の外周であって前記スイッチハウジングを取付けるためのねじが切られたねじ部と、前記円筒部と前記ねじ部の間の外周であって、前記保持リングが圧入される部分とはオーバーラップしない位置に前記スイッチハウジングを締付けるための多角柱形状をした締付け部とを備えていることを特徴とする圧力スイッチ。
【発明の詳細な説明】
【０００１】
【発明の属する技術分野】
本発明は、油圧装置において圧力の上昇を検知するために用いられる圧力スイッチに関するものである。
【０００２】
【従来の技術】
一般に自動車等に用いられる油圧式の動力舵取装置においては、エンジンによって油圧ポンプが駆動され、この油圧ポンプより吐出された作動油を動力舵取装置に供給してステアリング操舵時のアシストを行うようになっている。
この種の油圧式の動力舵取装置においては、エンジンのアイドル回転時における据え切り操舵等に伴って油圧ポンプの負荷圧が上昇することにより惹起されるエンジンストールを防止するためにエンジンのアイドル回転時における油圧ポンプの負荷圧上昇を検出する圧力スイッチが設けられている。
【０００３】
図５はかかる圧力スイッチの一例を示すもので、１はスイッチハウジング、２は圧力が作用されるピストン、３は一方の電気的接点をなすターミナル、４は前記ピストン２と前記ターミナル３との間にあって他方の電気的接点をなすばね機能をもったディスクスプリングである。
そして、エンジンのアイドル回転時における据え切り操舵等に伴って油圧ポンプの負荷圧が上昇すると、この圧力がピストン２に作用してピストン２がディスクスプリング４のばね力に抗して摺動し、デスクスプリング４を弾性変形させてターミナル３に接触させ、これによりスイッチハウジング１とターミナル３とを電気的に導通させ、アイドルアップのための電気信号を発信するようになっている。
【０００４】
ここで、ディスクスプリング４をスイッチハウジング１に形成された収納穴１Ａ内に収納した後、保持リング５を前記収納穴１Ａに圧入固定することによって、ディスクスプリング４を位置決め固定するようにしている。
また、スイッチハウジング１はその下端外周部１Ｂにねじが切られており、油圧ポンプのポンプハウジング６の圧力導入通路７の開口端部に形成されたねじ穴６Ａにねじ込み固定されるようになっている。
【０００５】
【発明が解決しようとする課題】
上述した従来の技術においては、スイッチハウジング１をポンプハウジング６にねじ込むために、スイッチハウジング１の外周の中間部１Ｃは六角柱形状をしているが、この六角柱形状をしている中間部１Ｃと保持リング５の圧入部とがオーバラップしている。このため、スイッチハウジング１の中間部１Ｃにおいては、その内周は保持リング５を収納すべく円形であることにより肉薄部が存在し、この肉薄部において保持リング５を圧入する際に応力集中となり、これがスイッチハウジング１の材料の降伏点を越えると保持リング５の固定がゆるんでディスクスプリング４の位置がずれてしまうことがある。
【０００６】
また、スイッチハウジング１をポンプハウジング６にねじ込むに際して、ボックスレンチを用いればよいが、スパナ等の他の工具を用いたり、あるいはボックスレンチを用いたとしても規定のトルクを越えるような力で締付けたりすると、スイッチハウジング１の中間部１Ｃが変形して、やはり、保持リング５の固定がゆるんでディスクスプリング４の位置がずれてしまうことがある。
【０００７】
この結果、所定の圧力が作用してもスイッチがＯＮとならないことになり、圧力スイッチの性能が低下する恐れがある。
【０００８】
【課題を解決するための手段】
本発明は、上述した課題を解決するためになされたものであり、スイッチハウジングの一端に収納穴を形成すると共に他端に前記収納穴に通ずる摺動穴を形成し、この摺動穴に圧力が作用するピストンを摺動可能に嵌合し、前記収納穴に圧入固定された電気絶縁体である保持リングを介して一方の電気接点をなすターミナルを固定し、前記ピストンと前記ターミナルとの間に設けられ前記ピストンの押圧により撓んで前記ターミナルと当接し他方の電気的接点をなすディスクスプリングを備えた圧力スイッチにおいて、前記スイッチハウジングの外周は、前記収納穴の前記保持リングが圧入される部分の外周であって円筒形状をした円筒部と、前記摺動穴の外周であって前記スイッチハウジングを取付けるためのねじが切られたねじ部と、前記円筒部と前記ねじ部の間の外周であって、前記保持リングが圧入される部分とはオーバーラップしない位置に前記スイッチハウジングを締付けるための多角柱形状をした締付け部とを備えていることを特徴とするものである。
【０００９】
【発明の実施の形態】
本発明の実施の形態を図面に基づいて説明する。
図１は本発明の実施の形態に係わる圧力スイッチの断面図であり、軸線Ｏに対して左側に負荷圧がかかっていないときの状態を、右側に負荷圧がかかったときの状態を示している。
【００１０】
１０は油圧ポンプのポンプハウジングを示し、このポンプハウジング１０には負荷圧が導入される圧力導入通路１１が形成され、この圧力導入通路１１の開口端部に形成されたねじ穴１２に、本発明の圧力スイッチ２０がシールリング２１を介して液密的にねじ込み固定されるようになっている。
前記圧力スイッチ２０のスイッチハウジング２２には、一端に大径の収納穴２３が開口され、他端にこの収納穴２３に通ずる小径の摺動穴２４が開口されている。摺動穴２４が開口された側のスイッチハウジング２２の他端外周には、前記ポンプハウジング１０の前記ねじ穴１２に螺号するねじ部２２Ｃが形成されている。
【００１１】
前記摺動穴２４にはピストン２６が摺動可能に嵌装され、このピストン２６の先端は前記収納穴２３に臨んでいる。摺動穴２４には圧力導入通路１１側に向かって順にテフロンリング２７とＯリング２８および係止部材２９を収納する凹部３０が摺動穴２４の開口側に形成され、このＯリング２８の内周に前記ピストン２６の外周が密嵌合されている。しかして、テフロンリング２７、Ｏリング２８および係止部材２９はスイッチハウジング２２の凹部３０側の端部３１が内方にかしめ変形されることにより、軸線方向の移動を拘束されている。
【００１２】
前記ピストン２６の圧力導入通路１１側先端には小径部３２が形成され、この小径部３２の根元側における段部３３に前記係止部材２９が係合することにより前記ピストン２６の圧力導入通路１１側への移動を制限するようになっている。また、前記小径部３２の外周にはストッパリング３４が装着され、このストッパリング３４が前記係止部材２９に係合することにより、異常圧力に対してもピストン２６が収納穴２３側へ必要以上に移動するのを制限するようになっている。
【００１３】
前記収納穴２３の底部には図２に示す形状のディスクスプリング３５が装着され、このディスクスプリング３５は前記収納穴１１に圧入固定された保持リング２２によって外周を保持されている。かかるディスクスプリング３５は、金属性薄板に外周から中央に向けて３箇所に切り込み３５Ａが形成され、中央部３５Ｂが前記切り込み３５Ａにより形成された撓み部３５Ｃに支持された形状をしている。この中央部３５Ｂにある一定以上の力が加わると撓み部３５Ｃが撓んで中央部３５Ｂが弾性変位する構造となっており、スイッチハウジング２２からポンプハウジング１０に導通しボディアースされている。
【００１４】
前記保持リング３６は、スイッチハウジング２２に圧入固定されるに先立って、その内周に電気絶縁体である樹脂３７を介してターミナル３８が装着され、このターミナル３８には電圧が印加されるようになっている。前記樹脂３７は図１中上方に延び、図略のコネクタが装着される装着穴３９が形成されている。
前記ターミナル３８の軸部３８Ａにはコネクタに接続される接続端子４０が固着され、この接続端子４０は前記装着穴３９内にてコネクタと接続するようになっている。なお、図１中、４１はコネクタ装着の際、コネクタを装着穴３９内で案内するガイド溝である。また、４２はＯリングであり、収納穴２３の開口部における前記樹脂３７の外周の装着し、スイッチハウジング２２の収納穴２３の端部４３を内方へかしめ変形することにより、Ｏリング４２を弾性変形させて収納穴２３の開口部をシールするようにしている。
【００１５】
ここで、図３に示すように、スイッチハウジング２２の保持リング３６が圧入固定される部分（図１Ａ−Ａ断面）の外周部２２Ａは、円筒形状をなしている。また、図４に示すように、スイッチハウジング２２の前記保持リング３６が圧入される部分（図１Ａ−Ａ断面）より下方部分（図１Ｂ−Ｂ断面）の外周部２２Ｂは、六角柱形状をなしており、この六角柱形状の外周部２２Ｂは前記保持リング３６の圧入部とはオーバラップしないような位置に形成されている。そして、この六角柱形状部分にボックスレンチ等の工具を係合させ、スイッチハウジング２２をポンプハウジング１０に締付け固定するようになっている。
【００１６】
次に、上記した構成における圧力スイッチ２０の動作について説明する。
ステアリング装置が操舵されると、油圧ポンプの負荷圧が上昇し、この負荷圧が圧力導入通路１１より導入されてピストン２６の一端に作用し、ピストン２６によってディスクスプリング３５が押圧される。しかし、小操舵においては負荷圧があまり上昇しないため、ディスクスプリング３５とターミナル３８の間には隙間が確保されており、ターミナル３８とポンプハウジング１０とがディスクスプリング３５を介して電気的に導通することがない。
【００１７】
しかしながら、アイドリング回転時にステアリング装置が据切り操舵されたような場合には、負荷圧が大きく上昇する。そして、負荷圧がディスクスプリング３５のばね力に打ち勝つまでに圧力が上昇すると、ピストンの押圧によりディスクスプリング３５が撓んでターミナル３８に当接し、ターミナル３８とポンプハウジング１０が電気的に導通される。これにより、アイドルアップ用の電気信号が発信されることになる。
【００１８】
ところで、上述したような圧力スイッチ２０の製造工程において、保持リング３６はスイッチハウジング２２に圧入固定される。ところが、本発明においては、保持リング３６の圧入部分に対応したスイッチハウジングの外周部２２Ａの形状は円筒形状であるため、圧入によりスイッチハウジング２２が応力集中となることがない。
【００１９】
また、上述したような圧力スイッチ２０の取付け工程においては、スイッチハウジング２２の外周に形成されたねじ部２２Ｃをポンプハウジング１０に形成されたねじ穴１２に螺合させ締付け固定する。ところが、本発明においては、締付けのためのスイッチハウジング２２の六角柱形状部２２Ｂは、保持リング３６の圧入部とオーバラップすることがなように形成されているため、締付けトルクによって保持リング３６の圧入がゆるむことがない。
【００２０】
【発明の効果】
以上述べたように本発明によれば、スイッチハウジングの外周は、収納穴の保持リングが圧入される部分の外周であって円筒形状をした円筒部と、摺動穴の外周であってスイッチハウジングを取付けるためのねじが切られたねじ部と、円筒部とねじ部の間の外周であって、前記保持リングが圧入される部分とはオーバーラップしない位置にスイッチハウジングを締付けるための多角柱形状をした締付け部とを備えているので、保持リングの圧入に際してスイッチハウジングが応力集中となることがなく、また、スイッチハウジングの締付けに際して、締付けトルクによって保持リングの固定がゆるんで位置ずれを生じることがないので、圧力スイッチの性能の低下を防止することができる。
【図面の簡単な説明】
【図１】本発明の実施の形態を示す圧力スイッチの断面図である。
【図２】ディスクスプリングの一例を示す断面図である。
【図３】図１のＡ−Ａ断面図である。
【図４】図１のＢ−Ｂ断面図である。
【図５】従来の圧力スイッチを示す断面図である。
【符号の説明】
２２    スイッチハウジング
２２Ａ  圧入部
２２Ｂ  締付け部
２２Ｃ  ねじ部
２３    収納穴
２４    摺動穴
２６    ピストン
３５    ディスクスプリング
３６    保持リング
３８    ターミナル
【図１】
0003648839.tif 000002
【図２】
0003648839.tif 000003
【図３】
0003648839.tif 000004
【図４】
0003648839.tif 000005
【図５】
0003648839.tif 000006